(57)【特許請求の範囲】
【請求項１】
光ディスクを駆動するモータを支持するメインシャシに、取付けピンを介して取付けられる動吸振器であって、
前記動吸振器は、前記取付けピンを挿通する円筒状の貫通孔を有する円筒状で中実形状の弾性体と、前記弾性体に保持される動吸振子とを含み、
前記取付けピンは、軸と前記軸の一方端部に設けられ前記軸よりも広い面を有する頭部とを有し、
前記弾性体は、
前記動吸振子の軸方向の厚みより広い幅で前記取付けピンの軸を保持する取付けピン保持部と、
前記取付けピンの頭部に当接する第１当接部と、
前記メインシャシに当接する第２当接部と、
前記第１および第２当接部の両者を軸方向に通過するように延びる仮想帯の少なくとも一部を横切るように、前記取付けピン保持部の上下に設けられ、前記第１および第２当接部間に発生する圧縮力を逃がし、前記軸方向における圧力の伝達を遮断するための第１圧力逃がし領域および第２圧力逃がし領域とを有し、
前記第１圧力逃がし領域および第２圧力逃がし領域は、前記取付けピン保持部の上下に位置する環状溝である、動吸振器。
【請求項２】
前記圧力逃がし領域は、前記取付けピン保持部と前記取付けピンとの非接触部との境界において前記取付けピン保持部に応力を生じさせない、請求項１に記載の動吸振器。
【請求項３】
前記圧力逃がし領域は、前記弾性体の前記取付けピンの軸に対向する面に設けられた凹部を有し、
前記凹部には前記弾性体よりも柔らかい部材が挿入される、請求項１に記載の動吸振器。
【請求項４】
前記圧力逃がし領域は、前記弾性体の前記取付けピンの軸方向に設けられた強度の異なる部分を含む、請求項１に記載の動吸振器。
【請求項５】
請求項１から４のいずれかに記載された動吸振器を用いた光ディスク装置。
【発明の詳細な説明】
【技術分野】
【０００１】
この発明は動吸振器およびそれを用いた光ディスク装置に関し、特に、共振周波数の変化しない動吸振器およびそれを用いた光ディスク装置に関する。
【背景技術】
【０００２】
ＣＤ、ＣＤ−ＲＯＭ、ＤＶＤ、ＤＶＤ−ＲＯＭ等の光ディスク、光磁気ディスク、大容量ＦＤ等の光メディアを駆動する光ディスク装置が、たとえば特開２００１−２５６７６２号公報（特許文献１）や特開２００１−３５５６７０号公報（特許文献２）に開示されている。図５は特許文献１および２に開示された光ディスク装置の要部を示す斜視図であり、図６は図５において、ＶＩ−ＶＩで示す部分の断面図である。
【０００３】
図５および図６を参照して、光ディスク装置１１０は、筐体１１１と、筐体１１１の周囲４箇所に設けられたメインダンパ１１２と、メインダンパ１１２に保持されたメインシャシ１０８とを含む。メインシャシ１０８上には、光ディスク１０９を回転するためのスピンドルモータ１１４と、光ディスク１０９を読取るヘッド１１５と、サブダンパ１０１とが設けられ、サブダンパ１０１には、動吸振子１０７が保持されている。ここで、動吸振子１０７とサブダンパ１０１とで動吸振器１００が構成されている。
【特許文献１】特開２００１−２５６７６２号公報（図１およびそれに関連する記載）
【特許文献２】特開２００１−３５５６７０号公報（図３およびそれに関連する記載）
【発明の開示】
【発明が解決しようとする課題】
【０００４】
図７は図６においてＶＩＩで示した部分の拡大図である。図７を参照して、動吸振器１００を構成するサブダンパ１０１は、円筒状であり、メインシャシ１０８に取付けられた取付けピン１０３の頭部１０３ａとメインシャシ１０８とでその円筒の端面である凸部１０２ａ、１０２ｂを保持されている。サブダンパ１０１の内周の中央部に取付けピン１０３に当接するピン保持部１０４が設けられる。また、その外周部の中央部には、動吸振子１０７を保持するための凹部１０５が設けられている。
【０００５】
本来、動吸振器１００は所定の振動を抑制するように設計されているため、取付けピン１０３によってサブダンパ１０１がメインシャシ１０８に取付けられる場合においては、設計された寸法でサブダンパ１０１が取付けられる必要がある。しかしながら、取付けピン１０３の長さは必ずしも一定ではないため、取付けピン１０３の長さが変わることにより、取付けピン１０３の長さによりサブダンパ１０１を圧縮する圧縮量が変化する。すなわち、取付けピン１０３の長さが短くなると、サブダンパ１０１には、図７において矢印Ａで示すような反力が生じ、圧縮力がピン保持部１０４に加わる。これと同時に、サブダンパ１０１が取付けピン１０３を押す反力が圧縮力に応じて変化することにより、サブダンパ１０１のピン保持部１０４と取付けピン１０３との表面の摩擦力が変化する。この結果、ピン保持部１０４や凹部１０５等のサブダンパ１０１の内径部の横方向の剛性に変化を及ぼす。これにより、光ディスク装置のドライブ回転数に対して動吸振器１００の共振周波数がずれてしまい、動吸振器１００の振動吸収効率が低下するという問題があった。
【０００６】
この発明は上記のような問題点を解消するためになされたもので、振動吸収効率が低下しない動吸振器およびそれを用いた光ディスク装置を提供することを目的とする。
【課題を解決するための手段】
【０００７】
この発明に係る動吸振器は、光ディスクを駆動するモータを支持するメインシャシに、取付けピンを介して取付けられる。動吸振器は、取付けピンを挿通する貫通孔を有する円筒状の弾性体と、弾性体に保持される動吸振子とを含み、取付けピンは、軸と軸の一方端部に設けられ軸よりも広い面を有する頭部とを有する。弾性体は、取付けピンの軸を保持する取付けピン保持部と、取付けピンの頭部に当接する第１当接部と、メインシャシに当接する第２当接部と、第１および第２当接部の両者を軸方向に通過するように延びる仮想帯の少なくとも一部を横切るように、取付けピン保持部に設けられ、第１および第２当接部間に発生する圧縮力を逃がす圧力逃がし領域とを有する。
【０００８】
弾性体は、取付けピンの頭部に当接する第１当接部と、メインシャシに当接する第２当接部の両者を軸方向に通過するように延びる仮想帯を少なくともその一部を横切るように設けられる、圧力逃がし領域を有するため、第１および第２当接部間に発生する圧縮力は弾性体に影響を及ぼさず、設計時の共振周波数が変化しない。
【０００９】
その結果、振動吸収効率が低下しない動吸振器を提供できる。
【００１０】
好ましくは、圧力逃がし領域は、取付けピン保持部と取付けピンとの非接触部との境界において取付けピン保持部に応力を生じさせない。
【００１１】
さらに好ましくは、圧力逃がし領域は、弾性体の前記取付けピンの軸に対向する面に設けられた凹部である。
【００１２】
この発明の一実施の形態によれば、弾性体の凹部と第１当接部または第２当接部との間の取付けピンの軸に対向する面は、取付けピンとの間に空間を有する。
【００１３】
なお、凹部は環状の溝であってもよく、その、環状の溝は取付けピンの軸方向に相互に間隔を開けて複数設けられてもよい。また、凹部には弾性体よりも柔らかい部材が挿入されてもよい。
【００１４】
さらに好ましくは、圧力逃がし領域は、弾性体の取付けピンの軸方向に設けられた強度の異なる部分を含んでもよいし、軸方向における圧力の伝達を遮断してもよい。
【００１５】
この発明の他の局面においては、光ディスクは、上記した動吸振器を用いる。
【発明を実施するための最良の形態】
【００１６】
以下、この発明の実施の形態を、図面を参照して説明する。図１はこの発明にかかる光ディスク装置の動吸振器を構成するサブダンパ（弾性体）を、取付けピンでメインシャシに保持した状態を示す図であり、従来の図７に対応する図である。
【００１７】
図１を参照して、この実施の形態に係る動吸振器１０においては、取付けピン２０の軸２２が円筒状のサブダンパ１１の内周を貫通して、サブダンパ１１をメインシャシ１８に取付けている。サブダンパ１１の内周の中央部に取付けピン２０の軸２２に当接する取付けピン保持部１４が形成される。動吸振子１７がサブダンパ１１の外周の中央部に設けられた凹部１５に保持される。また、サブダンパ１１の上端部に設けられた当接部１２ａが取付けピン２０の頭部２１の下端部２１ａに当接し、サブダンパ１１の下端部に設けられた当接部１２ｂがメインシャシ１８の上面１８ａに当接する。これらの点は、図７と同様である。
【００１８】
この実施の形態において、従来と異なるのは、サブダンパ１１の内周部において取付けピン保持部１４の上下部分に、環状の溝１３ａ、１３ｂのような凹部が設けられている点である。
【００１９】
ここで環状の溝１３ａ，１３ｂはサブダンパ１１の取付けピンの頭部２１に当接する当接部１２ａ（第１当接部）、および、サブダンパ１１のメインシャシ１８に当接する当接部１２ｂ（第２当接部）が第１および第２当接部の両者を取付けピン２０の軸方向に通過するように延びる仮想帯（図１においてａで示す部分）を横切るように設けられている。なお、ここでは、環状の溝１３ａ，１３ｂは仮想帯全体を横切っているが、これに限らず、仮想帯の少なくとも一部を横切ればよい。
【００２０】
このように取付けピン保持部１４に形成された環状の溝１３ａ，１３ｂは、取付けピン２０の軸寸法が設計された寸法よりも短くて、サブダンパ１１を軸方向に圧縮するようになったとしても、その力を逃がす圧力逃がし領域として作動する。すなわち、これらの環状の溝１３ａ，１３ｂによって、取付けピン保持部１４に圧縮力がかからず、サブダンパ１１は設計通りの力で取付けピン保持部１４によって取付けピン２０の軸２２を保持し、凹部１５は設計通りの力で動吸振子１７を保持する。
【００２１】
なお、ここでは、圧力逃がし領域として、当接部の内周部に設けられた環状の溝を例にあげて説明したが、これに限らず、取付けピンの頭部２１に当接する第１当接部１２ａと、メインシャシ１８に当接する第２当接部１２ｂと、第１および第２当接部１２ａ，１２ｂの両者を取付けピン２０の軸方向に通過するように延びる仮想帯ａを少なくとも横切るように設けられて、第１および第２当接部間に発生する圧縮力を逃がすことができれば、任意の形状であってもよい。また、ここでは、環状の溝１３をサブダンパ１１の上下に２つ設けたが、これに限らず、いずれか一方だけでもよい。
【００２２】
さらに、この溝は連続して設けられる必要はなく、断続的に設けられてもよいし、空洞部であってもよい。また、当接部の内周部に存在すれば、その外周部に延在してもよい。
【００２３】
また、環状の溝１３ａ，１３ｂと第１および第２当接部１２ａ，１２ｂとの間の取付けピン２０の軸２２に対向する面は、取付けピン２０との間に空間を有しているが、これはなくてもよい。
【００２４】
次に上記した圧力逃がし領域の作用について説明する。図２は、図１に示したこの発明の一実施の形態における動吸振器と、図７に示した従来例における動吸振器とにおける応力の発生状態を示すＣＡＥ（コンピュータ援用エンジニアリング）によって作成した図である。ここでは、それぞれの場合において、取付けピン２０により０．２ｍｍ圧縮して取付けた場合の応力を示す図である。図２（Ａ）はこの発明の場合を示し、図２（Ｂ）は従来例を示す。なお、ここでは、理解の容易のため、動吸振器を９０度回転させて示している。
【００２５】
まず、図２（Ｂ）を参照して、従来例によれば、サブダンパ１０１の凸部１０２ａおよび１０２ｂにおいては、高い応力のかかっている部分２５が存在し、サブダンパ１０１の中央部にあるピン保持部１０４の両端部においては、低い応力がかかっている部分２６が存在する。すなわち、取付けピンと当接するピン保持部１０４の強度が、外部の応力を受けて、設計当初の強度とは異なっている。
【００２６】
これに対して、図２（Ａ）を参照して、この発明の実施の形態による動吸振器によれば、サブダンパ１１の当接部１２ａおよび１２ｂにおいては、図２（Ｂ）と同様に高い応力の係っている部分２５が存在するが、低い応力のかかっている部分２６は、環状の溝１３ａ，１３ｂの溝の奥の部分だけある。サブダンパ１１の中央部の取付けピンに当接するピン保持部１４と環状の溝１３ａ，１３ｂ、すなわち、取付けピンとの非接触部との境界部においては応力がかかっていない。したがって、サブダンパ１１は所定の設計能力を発揮できる。
【００２７】
次に、この発明の効果について説明する。図３は、図７に示した従来例と、図１に示した本願発明の実施の形態とにおける効果の差を説明するための図である。図３（Ａ）は本願発明の動吸振器における通常の長さの取付けピンに動吸振器を取付けた場合の周波数との共振倍率との関係を示す図であり、図３（Ｂ）は本願発明の動吸振器において長さを０．１ｍｍ長くした場合の周波数との共振倍率との関係を示す図である。また、図３（Ｃ）と図３（Ｄ）は、従来の動吸振器における、図３（Ａ）と図３（Ｂ）に対応する図である。
【００２８】
図３（Ｃ）と図３（Ｄ）とを参照して、従来の動吸振器においては、取付けピンによる取付け長さが０．１ｍｍ長くなると、共振周波数ｆ０が１８１．１０Ｈｚから１７３．６０Ｈｚに変化している。共振周波数の変化率は、（１８１．１０−１７３．６０）／１８１．１０＝０．０４１となり、約４．１％である。これに対して、本願発明の動吸振器によれば、取付けピンによる取付け長さが０．１ｍｍ長くなると、共振周波数ｆ０が１９０．１０Ｈｚから１８９．１２Ｈｚに変化している。共振周波数の変化率は、（１９０．１０−１８９．１２）／１９０．１０＝０．００５２となり、約０．５％である。すなわち、本願発明によれば、従来例に比べて共振周波数の変化率は約１／１０に低減される。
【００２９】
次にこの発明の他の実施の形態について説明する。図４（Ａ）は、この発明に係る動吸振器の他の実施の形態を示す図である。図４（Ａ）を参照して、この動吸振器３０においては、先の実施の形態と同様に、取付けピン２０の軸２２が円筒状のサブダンパ３１の内周を貫通して、サブダンパ３１をメインシャシ３８に取付けている。サブダンパ３１の内周の上下に分かれて取付けピンの軸２２に当接する取付けピン保持部３４ａ，３４ｂが形成され、その間に凹部３６が設けられている。動吸振子３７がサブダンパ３１の外周の中央部に設けられた凹部３５に保持される。また、サブダンパ３１の上端部に設けられた当接部３２ａ（第１当接部）が取付けピン２０の頭部２１の下端部２１ａに当接し、サブダンパ３１の下端部に設けられた当接部３２ｂ（第２当接部）がメインシャシ３８の上面３８ａに当接する。
【００３０】
この実施の形態においても、サブダンパ３１の内周部において取付けピン２０を保持する取付けピン保持部３４ａ，３４ｂに、環状の溝３３ａ、３３ｂが設けられている。
【００３１】
環状の溝３３ａ，３３ｂは、取付けピン２０の頭部２１とメインシャシ３８とに当接するサブダンパ３１の当接部３２ａ，３２ｂと、当接部３２ａ，３２ｂの両者を取付けピン２０の軸方向に通過するように延びる仮想帯ａの少なくとも一部を横切るように設けられて、当接部間に発生する圧縮力を逃がすことができれば、任意の形状であってもよい。
【００３２】
また、ここでは、環状の溝３３はサブダンパ３１の上下に２つ設けたが、これに限らず、いずれか一方だけでもよい。また、図４（Ｂ）に示すように、環状の溝３３ａ，３３ｂに加えて、環状の溝３３ａ，３３ｂと第１および第２当接部３２ａ，３２ｂとの間の取付けピン２０の軸２２に対向する面の、軸２２との間に空間３９ａ，３９ｂを設けると一層大きな効果が得られる。
【００３３】
なお、図４（Ｃ）に示すように、図４（Ａ）に示した環状の溝を有さないが、取付けピン２０の軸２２に当接しない凹部３６のみを有する場合も考えられる。しかしながら、この場合は、凹部３６は、図４（Ａ）のように取付けピン２０を保持する取付けピン保持部には設けられていない。したがって、このような凹部３６は、ここでいう圧力逃がし領域に該当しない。
【００３４】
なお、図４（Ｂ）および（Ｃ）においては、図４（Ａ）と同じ部分については、同じ参照符号を付け、図４（Ａ）と異なるが、対応する部分には、図４（Ａ）に示した参照符号に１００を加えた参照符号を付して、その説明を省略している。
【００３５】
なお、上記実施の形態においては、取付けピン保持部以外の領域に環状の溝のような圧力逃がし領域を設けたが、これに限らず、環状の溝のような圧力逃がし領域にサブダンパよりも柔らかい部材を挿入してもよい。
【００３６】
また、圧力逃がし領域としては、サブダンパの取付けピンの軸方向に設けられた強度の異なる部分であってもよい。すなわち、圧力逃がし領域は、取付けピンの軸方向における圧力の伝達を遮断する領域であればよい。
【００３７】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３８】
この発明に係る動吸振器は、振動吸収効率が低下しないため、それを用いた光ディスク装置等において、有利に利用されうる。
【図面の簡単な説明】
【００３９】
【図１】この発明の一実施の形態に係る動吸振器の断面図である。
【図２】本願発明と従来例とを比較した場合の動吸振器の応力の発生状態を示す図である。
【図３】本願発明に係る動吸振器の効果を説明するための図である。
【図４】この発明の他の実施の形態に係る動吸振器を示す図である。
【図５】光ディスク装置の要部を示す斜視図である。
【図６】図５において、ＶＩ−ＶＩで示す部分の断面図である。
【図７】従来の一動吸振器を示す断面図である。
【符号の説明】
【００４０】
１０、３０  動吸振器、１１，３１  サブダンパ、１２，３２  当接部、１３，３３  溝、１４，３４  取付けピン保持部、１５，３５凹部、１６  貫通孔、１７，３７  動吸振子、１８，３８  メインシャシ、２０  取付けピン、２１  頭部、２２  軸。
【図１】
0004829543.tif 000002
【図２】
0004829543.tif 000003
【図３】
0004829543.tif 000004
【図４】
0004829543.tif 000005
【図５】
0004829543.tif 000006
【図６】
0004829543.tif 000007
【図７】
0004829543.tif 000008